(57)【要約】  粘着テープの貼りやすさを追求し、省資源という効果を奏することのできる粘着テープ包装袋が開示されている。本発明による粘着テープ包装袋は、支持体２０と、支持体の一方の面に設けられた粘着剤層１２とを有し、粘着剤層が外側に向くように第１部分２２と第２部分２４とに折り曲げられた粘着テープ１４を収容するようになっている。また、粘着テープ包装袋は、粘着テープの第１部分の粘着剤層に剥離可能に付着された第１剥離シート１６と、粘着テープの第２部分の粘着剤層に剥離可能に付着され、第１剥離シートとの間で粘着テープを封じる第２剥離シート１８とを備える。この構成では、従来存在した剥離シートとは別個の包装袋を省略することが可能となる。また、第２剥離シートを粘着テープの第２部分の粘着剤層から取り除くと、粘着剤層の半分が露出するため、貼付部位への貼付が容易となる。
2010073993.tif 000002
【特許請求の範囲】
【請求項１】
支持体と、前記支持体の一方の面に設けられた粘着剤層とを有する粘着テープを収容する粘着テープ包装袋において、
前記粘着テープは、前記粘着剤層が外側に向くように第１部分と第２部分とに折り曲げられ、
前記粘着テープの前記第１部分の前記粘着剤層に剥離可能に付着された第１剥離シートと、前記粘着テープの前記第２部分の前記粘着剤層に剥離可能に付着され、前記第１剥離シートとの間で前記粘着テープを封じる第２剥離シートとを備えることを特徴とする粘着テープ包装袋。
【請求項２】
前記第１剥離シートと前記第２剥離シートとが互いに重ね合わされ、
前記第１剥離シートと前記第２剥離シートとの重ね合わされた部分であって、前記粘着シートを囲む部分が密閉されていることを特徴とする請求項１に記載の粘着テープ包装袋。
【請求項３】
前記第１剥離シートと前記第２剥離シートとの間を密閉すべく面接合された面接合部の外縁に、外方に突出する凸点を少なくとも１つ形成したことを特徴とする請求項１又は２に記載の粘着テープ包装袋。
【請求項４】
前記粘着テープの前記第２部分の前記粘着剤層と前記第２剥離シートとの付着力を抑制する付着力抑制手段が、前記第２剥離シートの少なくとも一部分に設けられていることを特徴とする請求項１〜３のいずれか一項に記載の粘着テープ包装袋。
【請求項５】
前記付着力抑制手段が、前記第２剥離シートの、前記粘着テープの前記第２部分の前記粘着剤層と付着する部分の少なくとも一部分に施されたシリコン処理面であることを特徴とする請求項４に記載の粘着テープ包装袋。
【請求項６】
前記付着力抑制手段が、前記第２剥離シートの、前記粘着テープの前記第２部分の前記粘着剤層と付着する部分の少なくとも一部分に施されたエンボス加工面及び／又はサンド加工面であることを特徴とする請求項４に記載の粘着テープ包装袋。
【請求項７】
前記粘着テープの前記第２部分が前記粘着テープの前記第１部分よりも大きく、前記第２部分が、前記第１部分からはみ出すはみ出し部分を有しており、
前記第１剥離シートの部分で、前記はみ出し部分に対向する部分の少なくとも一部分には、仮止め手段が設けられていることを特徴とする請求項１〜６のいずれか一項に記載の粘着テープ包装袋。
【請求項８】
前記仮止め手段を介しての、前記第１剥離シートに対する前記粘着テープの前記支持体の付着力が、前記第２剥離シートに対する前記粘着剤層の付着力よりも高いことを特徴とする請求項７に記載の粘着テープ包装袋。
【請求項９】
前記粘着テープの前記第１部分が前記粘着テープの前記第２部分と実質的に同形であり、
前記粘着テープの前記第１部分と前記粘着テープの前記第２部分との間に仮止め手段が設けられていることを特徴とする請求項１〜６のいずれか一項に記載の粘着テープ包装袋。
【請求項１０】
前記仮止め手段の付着力が、前記剥離シートに対する前記粘着剤層の付着力よりも高いことを特徴とする請求項９に記載の粘着テープ包装袋。
【請求項１１】
前記仮止め手段が粘着テープの支持体に接着性を有することを特徴とする請求項７〜１０のいずれか一項に記載の粘着テープ包装袋。
【請求項１２】
前記粘着テープが皮膚又は粘膜に貼付される医療用として用いることを特徴とする請求項１〜１１のいずれか一項に記載の粘着テープ包装袋。
【請求項１３】
前記第２剥離シートを取り除いた後、前記粘着テープの前記第２部分の前記粘着剤層が露出し、かかる露出部分を貼付部位ないし貼付部位の近傍に当て、次いで、前記第１剥離シートを保持したまま、前記第１剥離シートを、前記粘着テープが前記第１剥離シートから剥がれる向きに引っ張ることにより、貼付することができることを特徴とする請求項１〜１２のいずれか一項に記載の粘着テープ包装袋。
【請求項１４】
請求項１〜１２のいずれか一項に記載の粘着テープ包装袋を用いた貼付方法において、
前記第２剥離シートを取り除いた後、前記粘着テープの前記第２部分の前記粘着剤層が露出し、かかる露出部分を貼付部位ないし貼付部位の近傍に当て、次いで、前記第１剥離シートを保持したまま、前記第１剥離シートを、前記粘着テープが前記第１剥離シートから剥がれる向きに引っ張ることにより、貼付することを特徴とする、粘着テープ包装袋を用いた貼付方法。
【発明の詳細な説明】
【技術分野】
【０００１】
本発明は、支持体に粘着剤層を有する粘着テープを包装する包装袋に関する。
【背景技術】
【０００２】
従来、種々の形態からなる粘着テープが知られ、ラベル、医療用、化粧用、装飾用、マスキング用、電子工業用、その他種々の用途に使用されている。医療用で使用される粘着テープとしては、パップ剤、プラスター剤、絆創膏、サージカルテープ等の貼付剤の形態で、通常皮膚、粘膜等に貼付される。【０００３】
このような粘着テープは通常、支持体と、その支持体の一方の面に設けられた粘着剤層とを有する粘着テープ、及び、粘着剤層に剥離可能に付着された剥離シートから構成される。粘着テープは製造された後、適度な大きさに裁断され、衛生的かつ物理的に保護するため個別に包装袋に入れられた状態で流通し、販売される場合がある。この場合に、使用の際は、包装袋を破り、粘着テープを取り出し、剥離シートを剥がして粘着剤層を露出させて、貼付部位に貼付する。【０００４】
使用の際によく問題となるのは、剥離シートの剥がしにくさの点である。剥離シートは一般に薄くて柔軟であるため取扱いにくく、剥がすのに時間を要することがある。この点を改善するため、例えば、特開２００７−７５６０２号公報、特開２００７−７５６０１号公報、特許第３６８９８０７号公報、実開昭５０−１３３７９７号公報等に開示されているように、剥離シートの剥がしやすさ及び粘着テープの貼りやすさを追求した種々の剥離シート及び粘着テープが開発されている。【０００５】
これらの剥離シート又は粘着テープはいずれも、粘着テープの貼りやすさの観点から利便性を追求した構造である。確かに便利ではあるが、粘着テープが剥離シート及び包装袋をそれぞれ備える態様を維持していることには変わりがなく、使用後には剥離シート及び包装袋がゴミとして発生する。【０００６】
本発明の目的は、粘着テープの貼りやすさを追求しながら、省資源という効果を奏することのできる粘着テープ包装袋を提供することにある。
【発明の概要】
【０００７】
上記の課題を達成するために、本発明の粘着テープ包装袋は、支持体と、その支持体の一方の面に設けられた粘着剤層とを有する粘着テープを収容する粘着テープ包装袋において、粘着テープは、前記粘着剤層が外側に向くように第１部分と第２部分とに折り曲げられ、また、粘着テープの第１部分の粘着剤層に剥離可能に付着された第１剥離シートと、粘着テープの第２部分の粘着剤層に剥離可能に付着され、第１剥離シートとの間で粘着テープを封じる第２剥離シートとを備えることを特徴としている。このような構成とすることで、従来存在した包装袋を省略することが可能となる。また、第１又は第２の剥離シートを粘着テープの粘着剤層から剥がしながら開くと、粘着剤層の半分が露出するため、貼付部位への貼付が容易となる。
【０００８】
第１剥離シートと第２剥離シートとは互いに重ね合わされ、第１剥離シートと第２剥離シートとの重ね合わされた部分であって、粘着テープを囲む部分が密閉されていることが好ましい。両剥離シート間が密閉されると、内部が外界と遮断されるため、粘着テープがより衛生的かつ物理的に保護され、粘着テープの粘着剤層の成分が外界に漏れない。
【０００９】
第１剥離シートと第２剥離シートとの間を密閉すべく面接合された面接合部の外縁に、外方に突出する凸点を少なくとも１つ形成することも有効である。開封時、この凸点に力が集中するため、凸点から面接合が破断を開始して開封が容易化されるためである。
【００１０】
第１剥離シートと第２剥離シートとの間に、開封用の摘み部分としての非接着部分を設けることが好ましい。また、第１剥離シートと第２剥離シートのいずれか一方の非接着部分に、ノッチのような触感により認識できる印を設けた場合には、目の不自由な者でも、粘着テープの粘着剤層の露出する向きを容易に把握することができる。なお、「いずれか一方」と記載したが、これは、第１剥離シートには１つのノッチ、第２剥離シートには２つのノッチのように、種類の異なる印であれば、第１剥離シートと第２剥離シートの両方に付す場合も含むものと理解されたい。
【００１１】
粘着テープの第２部分の粘着剤層と第２剥離シートとの付着力を抑制する付着力抑制手段が、第２剥離シートの少なくとも一部分に設けられていることが好ましい。第２剥離シートを取り除いた際に、粘着面が露出するため、貼付部位への貼付が容易となるからである。
【００１２】
第１剥離シート及び第２剥離シートは、粘着テープの粘着層を使用時まで保護することができれば、その材質、構成は特に限定はされないが、外層からセロハンフィルム、プラスチックフィルム、アルミニウム箔、次いで内層に更にプラスチックフィルムを積層した構成が好ましく、更に付着力抑制手段が、第２剥離シートの、粘着テープの第２部分の粘着剤層と付着する部分の少なくとも一部分に施されたシリコン処理面であることが好ましい。種々の付着力抑制手段の中でもシリコン処理は比較的容易且つ安価に行うことができるという利点がある。付着力抑制手段としては他に、当該部分にエンボス加工及び／又はサンド加工を施してもよい。
【００１３】
粘着テープの粘着剤層から第２剥離シートを容易に剥離させるための別の手段として、粘着テープの第２部分が粘着テープの第１部分よりも大きく、第２部分が、第１部分からはみ出すはみ出し部分を有しており、第１剥離シートの部分で、前記はみ出し部分に対向する部分の少なくとも一部分には、仮止め手段が設けられてもよい。仮止め手段を介しての、第１剥離シートに対する粘着テープの支持体の付着力は、第２剥離シートに対する粘着剤層の付着力よりも高くなるようにすることが好ましい。仮止め手段としては粘着剤、すなわち粘着テープの支持体に接着性を有するものが好ましい。第１剥離シートにこのような仮止め手段を設けることで、シリコン処理面等がなくても、粘着テープの第２部分が第２剥離シートから分離しやすくなるが、仮止め手段の設置をシリコン処理面等と併用すると、更に好ましい。
【００１４】
なお、粘着テープの第１部分と第２部分とを実質的に同形とし、この第１部分と第２部分との間に仮止め手段を設けてもよい。この場合、仮止め手段の付着力は、剥離シートに対する粘着剤層の付着力よりも高いことが好ましい。
【００１５】
上記のように構成された粘着テープ包装袋は、第２剥離シートを取り除いたと同時に現れる粘着テープの粘着剤層の露出部を貼付する部位に接着させ、その後第１剥離シートを、粘着テープが第１剥離シートから剥がれる向きに引っ張ることにより、粘着テープの全面が貼付部位に貼付可能となる。
【発明の効果】
【００１６】
本発明の粘着テープ包装袋によれば、粘着テープが剥離シートを有し、個別に包装する態様の粘着テープであれば他の粘着テープに対しても全て適用可能であり、省資源で貼付が容易な粘着テープ包装袋が提供される。すなわち、本発明の粘着テープ包装袋は、従来個別に存在する包装袋を省略することが可能であり、粘着テープの保管時には、包装袋が省略されても、第１剥離シート及び第２剥離シートを密閉することで内部が外界と遮断されるため、粘着テープが衛生的かつ物理的に保護される。【００１７】
また、粘着テープの使用時には、第２剥離シートを粘着テープの粘着剤層から剥がしながら取り除くと、粘着剤層の半分が露出するため、貼付部位への貼付が容易となる。しかも、第２剥離シートを剥がした後、粘着テープは第１剥離シート上で支えられ或いは補強された状態となるので、粘着テープ同士が接着し貼付剤が使用できない状態になることもなく、これも貼付を容易にするものである。また、粘着テープが人体に貼付することができる貼付剤、すなわちプラスター剤、パップ剤や絆創膏、サージカルテープ、貼るタイプのカイロ等の場合、貼付部位が一人では貼付しにくい背中等であっても、手を汚さず片手で容易に貼付することができる。【００１８】
また、本発明の粘着テープ包装袋によれば、第１剥離シートと粘着テープの支持体との間に仮止め手段を設けることで、シリコン処理面等がなくても、粘着テープの第２部分が第２剥離シートから分離しやすくなり、粘着剤層の半分を容易に露出させることができる。【００１９】
本発明の粘着テープ包装袋は一枚単位で製品化されるため、携帯利便性に優れる。
【図面の簡単な説明】
【００２０】
【図１】（ａ）〜（ｃ）は本発明の第１実施形態に係る粘着テープ包装袋の製造工程を示す斜視図である。
【図２】本発明による粘着テープ包装袋の断面の一部を示す図である。
【図３】（ａ）〜（ｄ）は剥離シートの辺縁の形状を例示した図である。
【図４】（ａ）〜（ｃ）は本発明による粘着テープ包装袋の使用方法を示す斜視図である。
【図５】本発明による粘着テープを貼付部位に貼付する場面を示す図である。
【図６】本発明による粘着テープを貼付部位に貼付する場面の図であり、図４から続く状態を示す図である。
【図７】本発明による粘着テープを貼付部位に貼付し終えた様子を示す図である。
【図８】（ａ）及び（ｂ）は開封を容易にするための形態の例を示す斜視図である。
【図９】（ａ）及び（ｂ）は開封を容易にするための形態の更に別の例を示す斜視図である。
【図１０】本発明の第２実施形態に係る粘着テープ包装袋を示す概略説明図である。
【図１１】（ａ）及び（ｂ）は本発明の第２実施形態の変形例を示す概略説明図である。
【図１２】本発明の第２実施形態の更に別の変形例を示す概略説明図である。
【図１３】本発明による粘着テープ包装袋の他の実施形態を示す断面図である。
【発明を実施するための形態】
【００２１】
以下、図面を参照しながら本発明の好適な実施形態について説明する。なお、全図を通して同一又は相当部分には同一符号を付し、その重複した説明は省略する。
【００２２】
［第１実施形態］
図１の（ａ）〜（ｃ）は、本発明による粘着テープ包装袋１０の製造工程を表す斜視図である。この粘着テープ包装袋１０は、片方の面に粘着剤層１２（図２参照）を有する粘着テープ１４、後述するように二つ折りにされた粘着テープ１４全体を覆う形の第１剥離シート１６、及び、第１剥離シートと同形の第２剥離シート１８を備える。粘着テープ１４、第１剥離シート１６及び第２剥離シート１８はいずれも、長方形が好ましい。
【００２３】
図２は、粘着テープ包装袋１０の断面の一部を示した図である。支持体２０の片方の面に設けられた粘着剤層１２が外側を向くように二つ折りにされた粘着テープ１４の第１部分２２の粘着剤層１２及び第２部分２４の粘着剤層１２に、第１剥離シート１６及び第２剥離シート１８がそれぞれ剥離可能に付着している。
【００２４】
本発明の粘着テープ包装袋は、ラベル、医療用、化粧用、装飾用、マスキング用、電子工業用、その他種々の用途に使用される。特に、医療用、化粧用等で使用される粘着テープ包装袋は、パップ剤、プラスター剤、絆創膏、サージカルテープ、化粧用パック剤、貼るタイプのカイロ等、通常皮膚、粘膜等に貼付される貼付剤の包装袋として用いることが可能である。
【００２５】
支持体２０の構成材料は、粘着剤層１２を支持し得るものであれば特に制限されないが、通常、織布、不織布、プラスチック等からなるフィルム、金属箔等が用いられる。更に支持体は、単層構造でも積層構造であってもよく、例えば異なる材料からなる複数の織布又は不織布を積層した構造であってもよく、プラスチックフィルム、金属箔等と織布又は不織布を積層した構造であってもよい。
【００２６】
また、本発明に用いる織布又は不織布は、特に限定はされず、繊維状の素材を布状に加工したものであって、粘着テープの支持体に使用できるものであればよく、例えば編み目を丸編み、経て編み、緯（よこ）編み等により集合させて布状に加工した編布も含まれる。
【００２７】
織布又は不織布の好ましい例としては、ポリエステル系樹脂、ポリエチレン系樹脂及びポリプロピレン系樹脂からなる群より選ばれる樹脂繊維の少なくとも一種からなる織布又は不織布が挙げられ、中でも粘着剤層に含有される成分との相互作用が少ないポリエステル系のポリエチレンテレフタレートからなる織布が好ましい。
【００２８】
プラスチックフィルムとしては、例えば、ポリエチレンテレフタレート等のポリエステル、ナイロン等のポリアミド、ポリエチレン、ポリプロピレン等のポリオレフィン、ポリ塩化ビニル、可塑化ポリ塩化ビニル、可塑化酢酸ビニル−塩化ビニル共重合体、ポリ塩化ビニリデン、エチレン−酢酸ビニル共重合体、酢酸セルロース、エチルセルロース、エチレン−アクリル酸エチル共重合体、ポリテトラフルオロエチレン、ポリウレタン、アイオノマー樹脂を用いて形成されたものが挙げられる。また、本発明の粘着テープを医療用、化粧用の貼付剤として用いる場合は、支持体には、貼付剤としての十分な伸縮性又は非伸縮性を有する材料を用いることが好ましく、特に、ポリエチレンテレフタレートのメリヤス編みの織布（編み布）が好ましい。
【００２９】
支持体２０としての編み布は、その目付け（単位当たりの質量）が５０〜５００ｇ／ｍ２であることが好ましい。また、支持体２０は、ＪＩＳ  Ｌ１０１８の方法に従って測定した場合、縦方向（長軸方向）モジュラスが２〜１２Ｎ／５ｃｍ、横方向（短軸方向）モジュラスも２〜１２Ｎ／５ｃｍであることが好ましい。なお、ここでいう縦方向とは、編み布を製造する工程における流れ方向のことを指し、横方向とは、縦方向と直交する方向、すなわち幅方向のことを指す。縦方向又は横方向が２Ｎ／５ｃｍより低いモジュラスである場合、貼付部分にしわを伸ばしながら貼付することが困難な傾向がみられ、また、縦方向又は横方向が１２Ｎ／５ｃｍより高いモジュラスである場合は、逆に貼付の際に粘着テープが伸びすぎ、しわが生じやすくなる傾向がある。なお、モジュラスは室温（２５℃）の値である。
【００３０】
上記の支持体２０を用いることにより、後述する仮止め手段による仮止めが容易となり、また、仮止めから取り外した後の支持体２０の形状、構造に殆ど変化がない。すなわち、例えば毛羽立ち等が生じない。また、粘着テープ包装袋１０内の二つ折りが容易で、かつ、嵩張らない。更に、貼付の際は二つ折りにしていた部分に、いわゆる“くせ”が付きにくく、きれいに貼ることができる。
【００３１】
粘着剤層１２の構成材料である粘着成分としては、粘着性を有し貼付部位に粘着することができれば特に限定はされないが、粘着基剤としてアクリル系粘着成分、ゴム系粘着成分、シリコン系粘着成分等が好ましく用いられ、中でも粘着物性の観点から、ゴム系粘着成分が特に好ましく用いられる。
【００３２】
具体的なゴム系粘着成分としては、天然ゴム、合成ゴムのいずれも使用することができ、合成ゴムとしては、例えば、スチレン系ブロックコポリマーやポリイソブチレンが挙げられる。更に、スチレン系ブロックコポリマーとしては、スチレン−ブチレン−スチレンブロックコポリマー（ＳＢＳ）、スチレン−イソプレン−スチレンブロックコポリマー（ＳＩＳ）、スチレン−エチレン／ブチレン−スチレンブロックコポリマー（ＳＥＢＳ）、スチレン−エチレン／プロピレン−スチレンブロックコポリマー（ＳＥＰＳ）が挙げられる。
【００３３】
スチレン系ブロックコポリマーの具体例としては、クレイトンＤ−１１１２、Ｄ−１１１１、Ｄ−１１０７（商品名、クレイトンポリマー（株）製）、ＪＳＲ５０００又はＪＳＲ５００２（商品名、日本合成ゴム（株）製）、クインタック３５３０、３４２１又は３５７０Ｃ（商品名、日本ゼオン（株）製）、クレイトンＤ−ＫＸ４０１ＣＳ又はＤ−１１０７ＣＵ（商品名、クレイトンポリマー（株）製）等のリニアトリブロックコポリマーや、クレイトンＤ−１１２４（商品名、クレイトンポリマー（株）製）、ソルプレン４１８（商品名、フィリップペトロリアム（株）製）等の分岐ブロックコポリマー等が挙げられる。
【００３４】
ポリイソブチレンとしては、例えば高分子から低分子のものが用いられ、例えば、オパノール１０、１２、１２ＳＦ、１５、１５ＳＦ、３０ＳＦ、５０、５０ＳＦ、８０、１００、１２０、１５０、２００（商品名、ＢＡＳＦ（株）製）、ビスタネックスＬＭ−ＭＳ、ＬＭ−ＭＨ、ＬＭ−Ｈ、ＭＭ  Ｌ−８０、ＭＭ  Ｌ−１００、ＭＭ  Ｌ−１２０、ＭＭ  Ｌ−１４０（商品名、エクソン化学（株）製）等が挙げられる。
【００３５】
また、アクリル系高分子としては、モノマー単位として、例えば、アクリル酸−２−エチルヘキシル、アクリル酸メチル、アクリル酸ブチル、アクリル酸ヒドロキシエチル、メタクリル酸−２−エチルヘキシル等に代表される（メタ）アクリル酸エステルを少なくとも一種含有する重合体又は共重合体等が用いられ、例えば、アクリル酸・アクリル酸オクチルエステル共重合体、アクリル酸−２−エチルヘキシル・Ｎ−ビニル−２−ピロリドン・ジメタクリル酸−１，６−ヘキサングリコール共重合体、アクリル酸−２−エチルヘキシル・酢酸ビニル共重合体、アクリル酸−２−エチルヘキシル・酢酸ビニル・アクリル酸共重合体、アクリル酸−２−エチルヘキシル・メタクリル酸−２−エチルヘキシル・メタクリル酸ドデシル共重合体、アクリル酸メチル・アクリル酸−２−エチルヘキシル共重合樹脂エマルジョン、アクリル樹脂アルカノールアミン液に含有するアクリル系高分子等の粘着剤、Ｄｕｒｏ−Ｔａｋアクリル粘着剤シリーズ（ナショナルスターチアンドケミカル社製）、ＧＥＬＶＡアクリル粘着剤シリーズ（モンサント社製）、ＳＫダインマトリダーム（綜研化学）、オイドラギットシリーズ（樋口商会）等が使用できる。
【００３６】
上記ゴム系、アクリル系、シリコン系等の粘着基剤は、一種又は二種以上を混合して用いることも可能である。
【００３７】
更に、本発明の粘着テープを医療用のパップ剤、プラスター剤、化粧用のパック剤として用いる場合には、粘着剤層として水溶性高分子も用いることができ、このような水溶性高分子としては、ゼラチン、寒天、アルギン酸、マンナン、カルボキシメチルセルロース又はその塩、ヒドロキシプロピルセルロース又はその塩、ポリビニルアルコール、ポリアクリル酸又はその塩等、あるいは、これらのうちの少なくとも一種を有機又は無機の架橋剤により架橋したものが好ましく用いられる。
【００３８】
上記の粘着基剤の他、粘着剤層には適宜、粘着付与剤、軟化剤、溶解剤、水、増粘剤、湿潤剤、充填剤、架橋剤、重合剤、溶解補助剤、吸収促進剤、安定化剤、抗酸化剤、乳化剤、界面活性剤、ｐＨ調整剤、薬物、紫外線吸収剤等が添加される。
【００３９】
本発明の粘着テープを医療用、化粧用の貼付剤として用いる場合の薬物としては、経皮的に体内に吸収されて薬理効果を発揮するものであれば特に限定されることはなく、例えば、抗炎症剤、鎮痛剤、抗ヒスタミン剤、局所麻酔剤、血行促進剤、麻酔剤、精神安定剤、抗高血圧剤、抗菌剤、血管拡張剤等が挙げられる。
【００４０】
本発明の第１剥離シート１６及び第２剥離シート１８は、粘着テープの包装袋として通常使用されているものであれば用いることができる。また、第１剥離シート１６及び第２剥離シート１８は、単層又は積層のいずれでもよく、また、構成する材料も本発明の効果を奏するのであれば特に限定されない。例えば、紙、不織布、アルミニウム、セロハン、ナイロン、高密度又は低密度のポリエチレン、ポリエチレンテレフタレート、ポリプロピレン、ポリ塩化ビニル、ポリアミド、ポリ塩化ビニリデン、ポリビニルアルコール、ポリ酢酸ビニル共重合体、ポリカーボネート、ポリスチレン、エチレンビニルアルコール共重合体等から適宜選択することが可能である。
【００４１】
更にこれらに印刷インキ若しくは接着剤等を塗布したもの、又は蒸着若しくはスパッタリング等の方法で薄膜を設けたものであってもよい。薄膜としては、アルミニウム等の金属の他、酸化ケイ素、酸化マグネシウム、酸化アルミニウム等のガスバリヤ性及び透明性の高い薄膜が好適である。この中でも、アルミニウムを含むフィルムが好ましく、更にポリエチレン、アルミニウム、ポリエチレンを順次積層したものがより好ましく、更にまた最外層にセロハンを積層したものが好ましく用いられる。
【００４２】
これらの剥離シートは、柔軟性を有するものが好ましい。従って、剥離シートの厚みとしては、特に限定はされないが１０〜５００μｍの範囲であることが好ましく、１５〜３００μｍの範囲であれば更に好ましい。
【００４３】
図１の（ａ）に示したように、第１剥離シート１６及び第２剥離シート１８によって封じられる粘着テープ１４は、粘着テープ１４の短手方向と平行な線（折曲げ線）に沿って、粘着剤層１２が外側に向くように第１部分２２と第２部分２４とに折り曲げられている。第２部分２４は第１部分２２よりも大きく、第２部分２４が、第１部分２２からはみ出すはみ出し部分が存在する。
【００４４】
このように二つ折りにされた粘着テープ１４に対し、粘着テープ１４の第１部分２２に第１剥離シート１６が剥離可能に付着され、図１の（ｂ）の状態となる。このとき、第２部分２４のはみ出し部分は、このはみ出し部分に対向する第１剥離シート１６上の部分に設けられた仮止め手段２６によって仮止めされる（図２参照）。
【００４５】
次に、粘着テープ１４の第２部分２４に後述するシリコン処理２８が施された第２剥離シート１８が剥離可能に付着され、第１剥離シート１６との間に粘着テープ１４が封じられることで本発明の粘着テープ包装袋１０が完成する（図１の（ｃ））。
【００４６】
粘着テープ１４を封じる方法としては、第１剥離シート１６と第２剥離シート１８との重ね合わされた部分のうち、粘着テープ１４を囲む部分を密閉する方法が好ましい。両剥離シート１６，１８間が密閉されると、内部が外界と遮断されるため、粘着テープ１４がより衛生的かつ物理的に保護され、粘着テープ包装袋１０の粘着剤層に含まれる成分が外界に漏れない、揮発しない等の利点がある。
【００４７】
互いに重ね合わされた第１剥離シート１６と第２剥離シート１８との周囲を密閉する方法としては、ヒートシール法の他、接着剤等を使用した方法が考えられる。また、両者の周囲をテープで留めてもよい。粘着テープ包装袋１０をこのような構成とすることで、第１剥離シート１６及び第２剥離シート１８が包装袋としても機能することとなるので、従来存在した別個の包装袋を省略することが可能となる。
【００４８】
なお、完成した粘着テープ包装袋の角部が尖っていることを避けるため、第１剥離シート１６及び第２剥離シート１８は、完成した粘着テープ包装袋の角部の一部、好ましくは図１の（ｃ）に示したように、四隅の全てが丸められた形状となるよう、略長方形の形状とすることが好ましい。
【００４９】
更に、第１剥離シート１６及び第２剥離シート１８の全部又は一部の辺縁は、貼付時に、例えばそれらの辺縁により貼付部位もしくはその周辺を傷めないように、辺縁を波形、パルス形、短冊状の形状にしたり、辺縁の最末端はあえて接着しない等の手段も用いることができる（図３の（ａ）〜（ｄ）参照）。
【００５０】
本発明においては、第２剥離シート１８は、粘着テープ１４の第２部分の粘着剤層１２と第２剥離シート１８との付着力を抑制する付着力抑制手段を設けておくことが好ましい。この付着力抑制手段としては、第２剥離シート１８の全面に剥離処理を施すというものが考えられるが、図１の（ａ）と（ｂ）及び図２の符号２８で示す部分のみを剥離処理することとしてもよい。また、この付着力抑制手段は、粘着テープ包装袋１０の開封時に粘着テープ１４の第２部分２４が第２剥離シート１８から容易に剥離されることを目的としているため、粘着テープ１４の第２部分２４が接する第２剥離シート１８の部分だけに剥離処理を施してもよいし、かかる目的を達成できるのであれば、その部分の更に一部分のみを剥離処理してもよい。
【００５１】
剥離処理としては、剥離剤を用いる方法の他、エンボス加工、サンド加工等の物理的に剥離を行いやすくする方法も含まれる。剥離剤としては、シリコン系剥離剤、アルキルペンダント系剥離剤、縮合ワックス系剥離剤等のいずれも用いることができ、この中でもシリコン系剥離剤を用いたいわゆるシリコン処理が好ましい。シリコン処理は、比較的容易且つ安価に行うことができるという利点があるからである。シリコン処理を施すことにより、粘着テープ包装袋１０の使用に際して第２剥離シート１８を取り除いたときに、簡単に粘着剤層１２が第２剥離シート１８から離れて粘着剤層１２が露出するため、貼付部位への貼付が容易となる。
【００５２】
粘着テープ１４の粘着剤層１２から第２剥離シート１８を容易に剥離させるための別の手段として、第１剥離シート１６に、粘着テープ１４の支持体２０の少なくとも一部を一時的に保持できる手段、すなわち仮止め手段を設置することができる。仮止め手段としては、特に限定されることはないが、例えば、磁力、静電気力、又は物理的な力、例えばマジックテープ、両面テープ、粘着剤、接着剤の他、疑似接着、第１剥離シート１６又は支持体２０の材質、性状等によっては溶着、熱接合、強押し、型押し、ホットメルト接着剤等を用いることができる。特に、第１剥離シート１６の内側となる層が所定の温度で溶融する熱可塑性材料からなり、かつ、粘着テープ１４の支持体１８が例えば織布から形成されている場合には、剥離シート１６の内側層を溶融させて支持体１８の織布に浸透させ、そこで固化できるので、熱接合による仮止めが有効である。また、剥離シート１６が熱可塑性を有していない場合であっても、支持体１８の材料に熱可塑性材料を含ませることで、熱接合を行うことも考えられる。また、また、第１剥離シート１６の内側となる面をエンボス加工して多数の突状部分を形成し、支持体２０にこれらの突状部分を引っ掛けて保持するという手段も適用可能である。
【００５３】
上述したような様々な仮止め手段が用いられ得るが、その中でも特に疑似接着やホットメルト接着剤を用いる方法、或いは、熱接合による方法が好ましい。疑似接着やホットメルト接着剤を用いる方法では、粘着テープ１４は、前記折曲げ線に沿って、粘着剤層が外側に向くように第１部分２２と第２部分２４とに折り曲げられ、第２部分２４が第１部分２２よりも大きく、第２部分２４が、第１部分２２からはみ出すはみ出し部分を有しており、第１剥離シート１６の部分で、前記はみ出し部分に対向する部分２６に、疑似接着やホットメルト接着剤を用いるのである。粘着テープ１４の支持体２０に対する接着部分２６の付着力が、第２剥離シート１８に対する粘着剤層１２の粘着力よりも高くなるようにすれば、シリコン処理面等の付着力抑制手段２８がなくても、粘着テープ包装袋１０の使用に際して粘着テープ１４の第２部分２４が第２剥離シート１８から分離しやすくなる。このような接着部分２６の形成をシリコン処理面２８と併用すると、更に好ましい。
【００５４】
一方、熱接合による仮止めの場合は、上述したような部分２６は形成されない。熱接合による仮止めは、図１の（ｃ）の状態に第１剥離シート１６及び第２剥離シート１８を重ね、第１剥離シート１６と第２剥離シート１８との重ね合わされた部分の外周部分を密閉、例えばヒートシールした後、或いはヒートシールと同時に、熱接合を行えばよいことは理解されよう。また、熱接合後に、第１剥離シート１６と第２剥離シート１８の外周部分をヒートシール等により密閉してもよい。
【００５５】
仮止め手段としては、第１剥離シート１６に対する粘着テープ１４の支持体２０の付着力（仮止め手段としての接着部分２６の付着力）が、第２剥離シート１８に対する粘着剤層１２の付着力（粘着力）よりも高くなるものであればよい。すなわち、仮止め手段を介しての、第１剥離シート１６に対する支持体２０の付着力、貼付部位に対する粘着テープ１４の粘着剤層１２の付着力（粘着力）、及び、第２剥離シート１８に対する粘着テープ１４の粘着剤層１２の付着力は、以下のような関係になる。
貼付部位に対する粘着剤層１２の付着力
＞仮止め手段を介しての、第１剥離シート１６に対する支持体２０の付着力
＞第２剥離シート１８に対する粘着剤層１２の付着力
【００５６】
なお、疑似接着とは、前述した特許庁ホームページから入手可能な技術分野別特許マップ、一般２１「接着」第３３６頁に記載されているように、平常では粘接着性を有さないが、特殊加圧条件等で接合するものをいい、粘着剤に添加物を加えて生成された疑似接着剤が用いられる。疑似接着剤としては、種々の公知の疑似接着剤を採用することができる。このような疑似接着剤は、第１剥離シート１６の部分で、前記はみ出し部分に対向する部分に塗布すればよいが、点状に設けてもよく、また、支持体２０の前記はみ出し部分の全面に塗布しても、或いは、はみ出し部分に線状、点状に設けてもよい。また、疑似接着剤を塗布するのではなく、疑似接着樹脂層を必要箇所に形成してもよい。
【００５７】
以下、図４〜図７を参照して本実施形態についての粘着テープ包装袋１０の作用及び効果について説明する。
【００５８】
図４の（ａ）は、本実施形態についての粘着テープ包装袋１０の斜視図を示している。従来型の粘着テープと比較して、剥離シートとは別個の包装袋を有しないため省資源である。本発明の粘着テープ包装袋１０は一枚単位で製品化されるため、携帯利便性に優れる。
【００５９】
図４の（ｂ）は、第１剥離シート１６及び第２剥離シート１８の周囲の封じられた部分の一端から、第２剥離シート１８を取り除き始めた様子を示している。第２剥離シート１８は粘着テープ１４の第２部分２４の粘着剤層１２から剥がれながら取り除かれる。
【００６０】
そして、図４の（ｃ）に示すように、第２剥離シート１８を完全に取り除くと、粘着テープ１４の第２部分２４の粘着剤層１２が露出する。特に、粘着テープ１４の第２部分２４の粘着剤層１２と第２剥離シート１８との付着力を抑制するシリコン処理が第２剥離シート１８に施されている場合は、容易に図４の（ｃ）の状態とすることができる。更に、第１剥離シート１６に疑似接着剤やホットメルト接着剤等の仮止め手段２６が設けられている場合では、仮止め手段を介しての、第１剥離シート１６に対する粘着テープ１４の支持体２０の付着力が、第２剥離シート１８に対する粘着剤層１２の付着力よりも高くなるように設計されていれば、シリコン処理面がなくても、容易に図４の（ｃ）の状態とすることができる。
【００６１】
図５〜図７は、本発明の粘着テープが特に医療用、化粧用等の貼付剤として用いられる場合の態様を示すが、これ以外の用途で用いる場合も同様の方法により貼付することができる。すなわち、粘着テープ１４の第１部分２２の粘着剤層１２が露出した粘着テープ包装袋を貼付部位に貼付する方法を示している。まず、当該粘着テープ包装袋を片手に持ち、図５に示すように貼付部位ないし貼付部位の近傍に当てる。次に、図６に示すように、第１剥離シート１６を手に保持したまま、粘着テープ１４が第１剥離シート１６から剥がれる向きに、皮膚に沿うように引っ張る。第１剥離シート１６が引っ張られるに従って、粘着テープ１４の第１部分２２が第１剥離シート１６から剥がれると同時に貼付部位に貼付される。特に第１剥離シート１６を引っ張りながら貼付するため、粘着テープ１４にしわがよらずに、これを貼付することができる。図７は粘着テープ１４の全体を貼付部位に貼付し終えた様子を示す。
【００６２】
本発明の粘着テープは、第２剥離シート１８と重ね合わされていた第１剥離シート１６の辺縁に、当該粘着テープを載せた手の親指を添えることができるため、手にしっかり保持することができる。したがって、粘着テープを貼付部位に当てる際に落下させる危険が小さく、また、貼付する際に粘着テープがぶれたり、重力によって意図しない方向に垂れ下がったりする心配が小さいため、安心して貼付部位に狙いを定めて貼付することができる。貼付部位が一人では貼付しにくい背中等であっても、片手で容易に貼付することができる。
【００６３】
なお、上述の使用動作においては粘着剤層が貼付部位以外の皮膚に接触するおそれが小さい。従来型の粘着テープの使用でしばしば体験する手指等への粘着剤層のべたつきがなく、衛生的であり、しかも、第２剥離シートを取り除いた後、粘着テープは第１剥離シート上で支えられ或いは補強された状態となるので、粘着剤同士が接着し貼付剤が使用できない状態になることもない。
【００６４】
ところで、粘着テープ包装袋１０の開封を容易にするために、第１剥離シート１６と第２剥離シート１８との周囲を密閉する手段として、いわゆるイージーピール技術を用いることも有効である。イージーピールとは、特許庁ホームページから入手可能な技術分野別特許マップ、一般２１「接着」第３３５頁（ｗｗｗ．ｊｐｏ．ｇｏ．ｊｐ／ｓｈｉｒｙｏｕ／ｓ＿ｓｏｎｏｔａ／ｍａｐ／ｉｐｐａｎ２１／４／４−３−１．ｈｔｍ）に記載されているように、易剥離性を意味し、容器・包装においてヒートシールにより封緘し、開ける時に剥がしやすくしたものをいう。イージーピールは、具体的には、第１剥離シート１６と第２剥離シート１８との間における接着剤層自体が破壊されて剥離する凝集剥離タイプや、この接着剤層と第１剥離シート１６又は第２剥離シート１８の接着強度を低くしておき、開封時に第１剥離シート１６又は第２剥離シート１８が接着剤層から剥離する層間剥離タイプ、更には、ＥＶＡ等の易接着性樹脂を用いる界面剥離タイプ等、種々のタイプがあり、特に限定されるものではないが、表面にポリエチレン層が配置されるシート材が第１と第２の剥離シート１６，１８として使用される場合には、イージーピール用の接着剤層として、例えば、高密度ポリエチレンを主体とした樹脂層と、低密度ポリエチレンに凝集破壊を引き起こす樹脂が添加されたイージーピール性樹脂層とからなる２層構造のものを使用するとよい。
【００６５】
更に、第２剥離シート１８を取り除きやすいように辺縁にノッチを施したり、第１剥離シート１６及び第２剥離シート１８に開封のための脆弱部分を設けたりすることも適宜用いることも可能である。
【００６６】
また、同じ目的で、図８の（ａ）や（ｂ）に示すように、第１剥離シート１６と第２剥離シート１８の端の部分を接着せずにおき、その非接着部分３０を摘めるようにしてもよい。特に、図８の（ｂ）に示すような形状とした場合には、非接着部分３０を広く取ることができ、より摘みやすくなる。勿論、前述したイージーピール技術の併用により、より開封が容易になる。
【００６７】
更に、図９の（ａ）及び（ｂ）に示す粘着テープ包装袋１０も開封を容易にしたものであり、第１剥離シート１６と第２剥離シート１８の端の部分全体を接着せずにおき、その非接着部分４０を摘めるようにしたものである。この場合、非接着部分４０の面積が包装袋１０の幅全域の大きなものとなるため、より摘み易いという利点がある。また、上記と同様、シール部分（一点鎖線の部分）にイージーピール技術を施すことにより、更に開封が容易となるが、図９の（ａ）において二点鎖線で示す部分を、例えば熱を加える等して弱め線としておくと、シール部分をイージーピールとしなくとも、弱め線に沿ってシール部分を容易に横切って所望の形状に第１剥離シート１６を切り離すことが可能となる。
【００６８】
また、図９の（ａ）に示すように、第１又は第２の剥離シート１６，１８の一方、例えば第１剥離シート１８の非接着部分４０の辺縁にノッチ等の触感により認識できる印５０を付けておくことも好ましい。本発明においては、粘着テープ包装袋１０を開封した際、後述するように粘着テープ１４の粘着剤層１２が上向きとなっていることが貼付作業には便利であるが（図４の（ｃ）参照）、触感で認識できる印５０を第１又は第２の剥離シート１６，１８の少なくとも一方に設けることで、目が不自由な者も包装袋１０の上下を判断することが可能となる。触感で認識できる印５０は、ノッチの他、図３に示すような形状、エンボス加工、突起等、様々なものが考えられる。
【００６９】
図９の（ｂ）の構成もその一種であり、第１剥離シート１６の非接着部分４０１を第２剥離シート１８の非接着部分４０２よりも長くして、上下を触感で判断できるようにしたものである。このような印は、図８に示す構成にも適用可能なことは勿論である。なお、図９の（ｂ）に示すように第１剥離シート１６と第２剥離シート１８の非接着部分４０１，４０２の縁部の位置をずらして段差を付けることで、より一層、非接着部分４０１を摘み易くできるという効果を奏する。
【００７０】
［第２実施形態］
図１０は、開封をより一層容易とするための工夫が施された粘着テープ包装袋１０を示す概略説明図である。図１０に示す粘着テープ包装袋１０は、第１剥離シート１６と第２剥離シート１８の互いに重ね合わされた部分に施されたヒートシール部６０の形状に特徴を有するものである。その他の構成については上記の第１実施形態と同様であるのでその説明は省略する。
【００７１】
図１０に示すように、ヒートシール部６０は、粘着テープ包装袋１０の一方の縁部６０ａと、その反対側の部分６０ｂと、これらの部分６０ａ，６０ｂ間の縁部６０ｃ，６０ｄに設けられている。３つのヒートシール部６０ａ，６０ｃ，６０ｄは直線状であり、これは第１実施形態のものも同様である。残りのヒートシール部６０ｂは、端から離れた位置に設けられており、部分６５は接着されておらず、この部分６５を摘んで開封することができるようになっている。
【００７２】
ヒートシール部６０ｂは、図示するように、山形ないしは三角形の鋸歯形状となっている。このような形状のヒートシール部６０ｂにあっては、部分６５を摘んで第１剥離シート１６と第２剥離シート１８とを互いに離れる方向に引くと、その引張り力がヒートシール部６０ｂのいずれかの山の頂部に集中することになり、その頂部からヒートシール部６０ｂの破断が開始することになる。例えば図１０において右上端から開いた場合には、符号６８で示す山の頂部に力が集中する。特に、図１０に示す形状においては、山の頂部は点であるため、引張り力が小さくとも、その力は一点に集中するため、容易に破断が開始する。ヒートシール部６０ｂにおいて破断が一旦開始すると、更に大きな引張り力を加えることなく、この破断開始点を起点として他の部分に破断が伝播していき、ヒートシール部６０全体が破断して、粘着テープ包装袋１０は図４の（ｃ）の状態となる。
【００７３】
なお、ヒートシール部６０ｂの山の高さＨ及びピッチＰについては適宜定めることができる。しかしながら、Ｈに対してＰが大きい場合、山の頂部の角度が大きくなり、力の集中という効果が損なわれる。また、Ｐが小さいと、部分６５に加えられた引張り力が２以上の山の頂部に分散することとなり、開封に大きな力を要することになる。一方、Ｈが小さいと、直線状のヒートシール部に近いものとなり、この場合も開封に大きな力を要する。このような点を考慮すると、Ｈは１０ｍｍ前後、Ｐは１０〜２０ｍｍ程度とすることが好適である。
【００７４】
図１１の（ａ）は、図１０のヒートシール部６０の変形であり、ヒートシール部６０ｂの側となる縁を直線状としたものである。このように一方の縁を直線状とすることで、ヒートシール部６０の破断時の感触が滑らかなものとなる。
【００７５】
また、力を一点に集中させることでヒートシール部６０の破断が容易となることから、図１１の（ｂ）に示すように、摘み部分６５に向かって突出する凸点７０を一つだけヒートシール部６０ｂに形成することとしてもよい。なお、図１１の（ｂ）の構成では、ヒートシール部６０ｂの凸点７０以外の部分が緩やかな山形となっているが、これは、凸点７０からの破断が他の部分に伝播し易くするためである。
【００７６】
更に、第１剥離シート１６と第２剥離シート１８との接合手段はヒートシールに限られず、接着剤等を用いる手法も考えられるが、接着剤その他による面接合部の外縁にも、外側に突出する少なくとも一点の凸点を形成することで、図１０及び図１１に示すヒートシール部６０ｂと同様な易開封性を得ることができる。
【００７７】
また、図１２は、図８の（ｂ）に示す構成において、ヒートシール部に前述の凸点６８，７０を設けるという概念を適用したものを示している。この構成では、ヒートシール部６０の凸部６９に対して摘み部分６５のうち角部が正対している。この角部を通常、使用者が摘んで包装袋１０を開封しようとするため、凸部６９に直に力が作用し易く、剥離し易いという特徴がある。
【００７８】
なお、図１０、図１１の（ａ）、（ｂ）及び図１２の構成においても、図９の（ｂ）の構成を適用することができる。すなわち、図示しないが、例えば図１０の構成にあっては、第１剥離シート１６と第２剥離シート１８のうちの一方の部分６５を他方の部分６５よりも長くすることができ、その場合には、部分６５を極めて容易に摘むことができ、使用者にとって有効なものとなる。
【００７９】
以上、本発明の好適な第１及び第２の実施形態について詳細に説明したが、本発明は上記の実施形態に限定されない。
【００８０】
例えば、上記の説明では第１剥離シート、第２剥離シート及び粘着テープが略長方形である場合について説明したが、これらは正方形、円形、楕円形、小判形等、種々の平面図形をかたどった形状であってもよい。
【００８１】
また、本発明の製造方法も特に限定されることはないが、通常の粘着テープの製造工程、第１剥離シートと粘着テープの接着工程、第１剥離シートと第２剥離シートとの重ね合わせ工程を経て製造することが可能である。
【００８２】
また、上記実施形態では、第２剥離シートの全体を第１剥離シート及び粘着テープとから除去するような形態（図４の（ｃ）参照）としているが、第２剥離シートの一方の辺を第１剥離シートの同側の辺と強固に接合、すなわち分離不可能に閉じるようにしてもよい。このような構成では、第２剥離シートは第１剥離シートから分離することがないため、粘着テープを貼付する際、第１剥離シートの端部のみならず、第２剥離シート全体をも手で持つことができ、よって、貼付が更に容易となる。
【００８３】
更にまた、粘着テープ１４の折曲げ線は剥離シート１６，１８の辺縁と平行である必要もない。
【００８４】
図１３は本発明の更に別の実施形態を示しているが、これは、粘着テープ１４の第１部分２２の面積と第２部分２４の面積とを実質的に同一としたもの、言い換えると第１部分２２と第２部分２４とを実質的に同形としたものである。この場合、仮止め手段２６を第１剥離シート１６に設けるのではなく、粘着テープ１４の第１部分２２と第２部分２４との間に設ける必要がある。この仮止め手段８０は、上記実施形態と同様に、疑似接着剤やホットメルト接着剤であってもよいが、粘着テープ１４の支持体２０が不織布からなるものであれば、繊維同士を絡める方法を採ることも可能である。
【実施例】
【００８５】
粘着剤として、スチレン−イソプレン−スチレンブロックコポリマー２０部、ポリイソブチレン２０部、流動パラフィン４５部、水添ロジングリセリンエステル１５部を混合し、ポリエチレンテレフタレートの織布に展延し、粘着テープを得た。この粘着テープを、粘着剤が外側に向くように、かつ、一方の端部が他方の端部よりも突出するように、折り曲げた。ポリエチレンテレフタレート、アルミニウム、ポリエチレンの積層フィルム（厚み  ８０μｍ）を粘着テープよりも大きな面積となるように裁断し、それを剥離シートとして２枚用意した。そして、一方の剥離シートの一面全体に付着力抑制手段としてシリコン処理を施した。次いで、他方の剥離シートの、粘着テープの突出部分が置かれる部分の一部に仮止め手段として粘着剤を塗布した後、粘着テープをこの他方の剥離シート上に置き、更にもう一方の剥離シートを重ね合わせた。続いて、粘着テープが内包されるように、２枚の剥離シートの縁部をヒートシールした。これによって、図１の（ｃ）及び図４の（ａ）に示す形態の粘着テープ包装袋を得た。【００８６】
このような粘着テープ包装袋を開封した場合、図４の（ｃ）のように、一方の剥離シートに、折り曲げられた粘着テープが残された。この後、図５〜図７に示す手順で皮膚への貼付を行ったが、粘着テープは皮膚に、確実にかつ円滑に、しかも皺が寄ることなく、容易に貼付された。【００８７】
なお、上記実施例の要領により、ヒートシート部の形成条件を変えて図１０に示す形状の粘着テープ包装袋を複数作製し、開封力試験でヒートシール部（図１０の符号６０ｂの部分）の開封に要する力を測定すると共に、官能試験で各包装袋の性能を評価した。【００８８】
開封力試験では、引張試験器オートグラフＡＧＳ−１ｋｇＮＧ（島津製作所製）を用いた。そして、包装袋の開封端（図１０において第１剥離シート１６と第２剥離シート１８の摘み部分６５の上部）をそれぞれ掴み治具にセットし、開封速度３００ｍｍ／ｍｉｎで相反する方向に引っ張るとき（いわゆるＴ形開封するとき）の、ヒートシール部（図１０の符号６０ｂの部分）の開封に要する２５ｍｍ幅当たりの力を測定した。その測定結果は次表の通りである。【００８９】
【表１】
2010073993.tif 000003
【００９０】
上記の表から、包装袋の開封に要する力が０．５〜１０Ｎ／２５ｍｍの範囲であるとき、官能試験結果が「良い」となり、とりわけ１〜５Ｎ／２５ｍｍの範囲であるとき、官能試験結果が「特に良い」となっていることが分かる。この結果から、包装袋の開封に要する力が０．５〜１０Ｎ／２５ｍｍの範囲、より好ましくは１〜５Ｎ／２５ｍｍの範囲となるように、ヒートシール部の形成条件を定めることが望ましい。これにより、非力である高齢者や患者にとっても開封し易く、かつ、密封性の良い粘着テープ包装袋を得ることが可能となる。
【符号の説明】
【００９１】
１０…粘着テープ包装袋、１２…粘着剤層、１４…粘着テープ、１６…第１剥離シート、１８…第２剥離シート、２０…支持体、２２…粘着テープの第１部分、２４…粘着テープの第２部分、２６…仮止め手段、２８…シリコン処理面（付着力抑制手段）、３０，４０…非接着部分、５０…ノッチ、６０…ヒートシール部。
【図１】
2010073993.tif 000004
【図２】
2010073993.tif 000005
【図３】
2010073993.tif 000006
【図４】
2010073993.tif 000007
【図５】
2010073993.tif 000008
【図６】
2010073993.tif 000009
【図７】
2010073993.tif 000010
【図８】
2010073993.tif 000011
【図９】
2010073993.tif 000012
【図１０】
2010073993.tif 000013
【図１１】
2010073993.tif 000014
【図１２】
2010073993.tif 000015
【図１３】
2010073993.tif 000016
【国際調査報告】
2010073993.tif 000017
2010073993.tif 000018
2010073993.tif 000019
2010073993.tif 000020
2010073993.tif 000021
2010073993.tif 000022
2010073993.tif 000023